(57)【要約】【課題】  コストダウンを目的とするフレキシブルプリント基板の折り曲げ作業に対する改善及びその構成。【解決手段】  フレキシブルプリント基板で配線パターンを保護している保護層であるカバーレイ又は配線パターンでフレキシブルプリント基板の外形端に対し９０°以外の傾斜形状で保護層であるカバーレイ又は配線パターンの削除を行う。【選択図】  図１
2010129685.tif 000002
【特許請求の範囲】
【請求項１】
フレキシブルプリント基板で配線パターンを保護している保護層であるカバーレイを、フレキシブルプリント基板の外形端に対し９０°以外の傾斜形状で保護層であるカバーレイを削除した事を特徴とするフレキシブルプリント基板。
【請求項２】
２層以上の複数層の配線パターンを有するフレキシブルプリント基板で、配線パターンと配線パターンを保護している保護層であるカバーレイをフレキシブルプリント基板の外形端に対し９０°以外の傾斜形状で配線パターンと保護層であるカバーレイを削除した事を特徴とするフレキシブルプリント基板。
【請求項３】
フレキシブルプリント基板の外形端に対し、保護層であるカバーレイ又は保護層であるカバーレイと配線パターンを９０°以外の傾斜形状で削除した事を特徴とする請求項１及び２に記載のフレキシブルプリント基板。
【請求項４】
９０°以外の傾斜形状で削除した保護層であるカバーレイ又は保護層であるカバーレイと配線パターンの傾斜形状で削除された端面に略一致した位置でフレキシブルプリント基板を折り曲げる事を特徴とする請求項１から３に記載のフレキシブルプリント基板。
【請求項５】
配線パターンを保護している保護層であるカバーレイは、配線パターンの面に対し表側又は裏側及びその両側に接している保護層であるカバーレイである事を特徴とする請求項１から４に記載のフレキシブルプリント基板。
【発明の詳細な説明】
【技術分野】
【０００１】
本発明は電子機器等に使用可能であって、コスト改善を行う為の作業性改善に効果のあるフレキシブルプリント基板に関するものである。
【背景技術】
【０００２】
フレキシブルプリント基板（以後ＦＰＣで記載）では折り曲げて使用する事が多く、その折り曲げ部の作業性を改善する為に配線パターンを保護する保護フィルム（カバーレイ）や複数層からなる配線パターンの層の一部を削除した物がある。（特許文献１、特許文献２参照）
又、図１０は従来例であり、ＦＰＣの外形形状を目的の構成に合わせて展開形状を自在に変形させながら結線する事が出来るＦＰＣ形状の解説図である。１９１はＦＰＣ部品本体、１９２はＦＰＣを結線するコネクターとコネクターの互いの位置が離れ、向きが略９０°違う位置に配置された関係を想定したＬ字の形状である。この様に展開形状で略直線形状以外の前記Ｌ字形状を含む形状自在な異形形状にする事でコネクター接続等の構成に対応する事が出来る。
【特許文献１】特開２００５−３４０４０１号公報
【特許文献２】特開２００３−５１６４８号公報
【発明の開示】
【発明が解決しようとする課題】
【０００３】
しかしながら、上記従来例である特許文献１では保護層をＦＰＣの幅方向に削除し配線パターンと一致する方向に曲げている為、図１０の様なＬ字形状を含む形状自在な異形形状のＦＰＣでは、ＦＰＣの展開面積が大きい状態となり材料の面積効率が悪くコストが高くなる。特許文献２も同様でＦＰＣ実装面側の保護層を削除し裏面の導体又は保護層の削除であり、特許文献１と同様に形状自在な異形形状のＦＰＣではＦＰＣの展開面積が大きい状態となり材料の面積効率が悪くコストが高くなっていた。
【０００４】
同様に図１０の従来例ではＦＰＣがＬ字形状になっており材料の面積効率が悪い為コストが高くなっている。
【０００５】
又、展開形状で略直線形状のＦＰＣで図１０の様な形状にする場合は略直線形状を折り曲げて使用することで同様の形状が出来るが、ＦＰＣの厚み分の全てを曲げる為、硬い事による曲げ難さや曲げ部の膨らみが大きくなり、また別途曲げ位置の指標を設ける必要があり不便であった。
【０００６】
本発明に係る発明の目的はコストダウン可能なＦＰＣ構成とその構成による作業性向上を提供する事を目的とする。
【課題を解決するための手段】
【０００７】
本発明の請求項１のフレキシブルプリント基板は配線パターンを保護している保護層であるカバーレイをフレキシブルプリント基板の外形端に対し、９０°以外の傾斜形状で保護層あるカバーレイを削除した事を特徴としている。
【０００８】
本発明の請求項２の２層以上の複数層の配線パターンを有するフレキシブルプリント基板は配線パターンと配線パターンを保護している保護層であるカバーレイをフレキシブルプリント基板の外形端に対し、９０°以外の傾斜形状で配線パターンと保護層であるカバーレイを削除した事を特徴とする。
【０００９】
本発明の請求項３のフレキシブルプリント基板は更にフレキシブルプリント基板の外形端に対し保護層であるカバーレイ又は保護層であるカバーレイと配線パターンを９０°以外の傾斜形状で削除した事を特徴とする。
【００１０】
本発明の請求項４のフレキシブルプリント基板は更にフレキシブルプリント基板の外形端に対し保護層であるカバーレイ又は保護層であるカバーレイと配線パターンを９０°以外の傾斜形状で削除し、前記傾斜削除端面に略一致した位置でフレキシブルプリント基板を折り曲げる事を特徴とする。
【００１１】
本発明の請求項５のフレキシブルプリント基板は更に配線パターンを保護している保護層であるカバーレイは配線パターン面に対し接着層の有無に関わらず前記配線パターンの上下面に接している最初の保護層であるカバーレイである事を特徴とする。
【発明の効果】
【００１２】
以上説明した様に、本発明によれば配線パターンを保護している保護層であるカバーレイ、又は保護層であるカバーレイと配線パターンの各構成で、フレキシブルプリント基板の外形端に対し９０°以外の傾斜形状で保護層で削除し、前記傾斜形状に略一致した位置で折り曲げる。そうする事により、効果（１）としてＦＰＣ材取り面積縮小によるコストダウン、効果（２）として前記各削除による折り曲げ易さと傾斜削除形状による折り曲げ位置の明確化による作業性向上が共に可能になった
【発明を実施するための最良の形態】
【００１３】
（実施例１）
本発明の第１の実施例を図１、２、３を用いて説明する。
【００１４】
図１はフレキシブルプリント基板（ＦＰＣ）単体での展開形状であり、１０１はＦＰＣ部品本体、１０２は配線パターンを保護する保護層であるカバーレイを削除した範囲、１０３ａ及び１０３ｂはＦＰＣ端子部で結線を行う為に基板等に配置したコネクターと接続する為の接続箇所である。１０４は１０２カバーレイ削除範囲内の配線パターン、１０５は保護層であるカバーレイに覆われた配線パターンである。１０６は削除したカバーレイのＦＰＣ外形端に対し傾斜した端面、１０７はカバーレイを削除したＦＰＣ外形端に対し垂直の端面であり１０６の様に傾斜した端面でも良く、１０８はＦＰＣの長手方向の外形端面である。尚、１０３ａ及び１０３ｂの端子部及び１０４のカバーレイ削除範囲内の配線パターンはカバーレイが削除されており、一般的に使用するパターンの材質である銅素材の場合では腐食防止の為にメッキ処理又は防錆処理を施す。
【００１５】
図２は図１断面Ａ−Ａ箇所の拡大詳細図であり、１１１ａ及び１１１ｂは配線パターンを保護する保護層であるカバーレイである。１１２ａ及び１１２ｂは接着剤、１１３は接着剤、１１４はベース材で、１１２ａ及び１１２ｂ及び１１３の接着剤は１０４配線パターンと１１１ａ及び１１１ｂカバーレイ及び１１４ベース材の各材質を接着固定させる。
【００１６】
図３はＦＰＣ単体での使用状態である折り返した図である。ＦＰＣは１０６の傾斜したカバーレイ削除端面に略一致した位置で折り返され、１２１の展開形状位置は図１の１０６の傾斜したカバーレイ削除端面から１０３ａ方向の形状で図２の１０２カバーレイ削除範囲から１１１ａ及び１１２ａ方向の形状でもある。１０６の傾斜したカバーレイ削除端面から曲がる１２２の曲げ形状を形成し、１２３の図１の１０６の傾斜したカバーレイ削除端面から１０３ｂ方向の形状で図２の１０２カバーレイ削除範囲から１１１ｂ及び１１２ｂ方向の形状でもあり、折り曲げ後のＦＰＣ形状を形成する。１２４の折り曲げた際のＦＰＣが互いに重なる箇所では、１０２のカバーレイ削除範囲で露出した１０４の配線パターンが折り曲げの内側面となり重なり合い絶縁保護される。その際１０７垂直形状のカバーレイ削除端面部の折り曲げ状態での端面部完全絶縁を行う為には前記垂直端面を傾斜端面側に折り曲げのガイドとして機能する範囲で拡大することで１２１の展開形状位置から出ることは無く、完全に絶縁保護する事が出来る。
【００１７】
この様に配線パターンを保護している保護層であるカバーレイをＦＰＣ外形端に対し９０°以外の傾斜形状で削除することで曲げる際のガイドとする事が出来る。またカバーレイが削除されている為にＦＰＣが柔らかく曲げ易くなり作業性の向上につながると共に、曲げ部の膨らみが少なくなることで曲げによる厚みを薄くする効果もある。その結果、作業性や配線パターンの保護を行った上でＦＰＣの展開形状状態で材料効率がよくコスト削減が可能になる。
【００１８】
図４は本発明の第一実施例の展開形状と、第一実施例の折り曲げた使用状態の形状と同じになる様な、従来の展開形状ＦＰＣ形状を作成し材料取りの効率の差を解説する図である。
【００１９】
Ａ図は第一実施例の展開形状を４枚並べた図であり、１３１は第一実施例の展開形状である。Ｂ図は折り曲げた形状と同じ展開形状にし４枚並べた図であり、１３２は折り曲げ無しと同形状の展開形状である。Ａ図とＢ図の斜線範囲の面積差は今回の配列で約４０％の差が発生し、１３１形状の様に直線的な展開形状の方が効率が良いことが解る。従って今発明の折り曲げ形状とするＦＰＣの構成ではコスト削減する事がこの図で実証されるものである。
【００２０】
（実施例２）
本発明の第２の実施例を図５を用いて説明する。
【００２１】
図５はＦＰＣ単体での展開形状であり、１４１はＦＰＣ部品本体、１４２は配線パターンを保護する保護層であるカバーレイを削除した範囲、１４３ａ及び１４３ｂはＦＰＣ端子部で結線を行う為に基板等に配置したコネクターと接続する為の接続箇所である。１４４は１４２カバーレイ削除範囲内の配線パターン、１４５は保護層であるカバーレイに覆われた配線パターン、１４６は削除したカバーレイのＦＰＣ外形端に対し傾斜した端面、１４７は１４６と略並行にカバーレイを削除した端面、１４８はＦＰＣの長手方向の外形端面である。尚、１４３ａ及び１４３ｂの端子部及び１４４のカバーレイ削除範囲内の配線パターンはカバーレイが削除されており、一般的に使用するパターンの材質である銅素材の場合では腐食防止の為にメッキ処理又は防錆処理を施す。
【００２２】
１４２のカバーレイ削除近傍の断面形状は第一実施例の図２と同様であり、使用状態で折り曲げを行った際の形状も第一実施例の図３と同形状である。
【００２３】
この様に、１４２のカバーレイを削除した範囲の形状を傾斜形状に略並行にすることよって折り曲げる為のカバーレイ削除範囲を少なくする事が出来、より配線パターンを保護する効果が高めることが可能となる。また第一実施例同様に曲げ部の膨らみが少なくなることで曲げによる厚みを薄くする効果もある。その結果作業性や配線パターンの保護を行った上でＦＰＣの展開形状状態で材料効率がよくコスト削減が可能になる。
【００２４】
（実施例３）
本発明の第３の実施例を図６、７を用いて説明する。
【００２５】
図６はＦＰＣ単体での展開形状で２層以上の複数層からなるＦＰＣの構成であり、Ａ図は端子面側展開形状図、Ｂ図は裏側展開形状図である。１５１はＦＰＣ部品本体、１５２は第２配線パターンを保護する保護層であるカバーレイを削除した範囲で同様に第２配線パターンも略同形状で削除、１５３ａ及び１５３ｂはＦＰＣ端子部で結線を行う為に基板等に配置したコネクターと接続する為の接続箇所である。１５４は１５３ａ及び１５３ｂとつながっている第１配線パターン、１５５ａ及び１５５ｂは１５２カバーレイ削除範囲の略同形状で削除された第２配線パターンである。１５６は削除したカバーレイのＦＰＣ外形端に対し傾斜した端面、１５７はカバーレイを削除したＦＰＣ外形端に対し垂直の端面であり１５６の様に傾斜した端面でも良く、１５８はＦＰＣの長手方向の外形端面である。
【００２６】
尚、１５３ａ及び１５３ｂの端子部はカバーレイが削除されており、一般的に使用するパターンの材質である銅素材の場合では腐食防止の為にメッキ処理又は防錆処理を施す。
【００２７】
図７は図６断面Ｂ−Ｂ箇所の拡大詳細図であり、１６１ａ及び１６１ｂは第２配線パターンを保護する保護層であるカバーレイである。１６２ａ及び１６２ｂは接着剤、１６３ａ及び１６３ｂは第２配線パターン、１６４ａ及び１６４ｂは接着剤、１６５はベース材、１６６は接着剤、１６７は第１配線パターン、１６８は接着剤、１６９は第１配線パターンを保護する保護層であるカバーレイである。１６２ａ、１６２ｂ、１６４ａ、１６４ｂ、１６６、１６８の各接着剤は１６１ａ及び１６１ｂのカバーレイと１６３ａ及び１６３ｂの第２配線パターンと１６５ベース材と１６７第１配線パターンと１６９カバーレイの各材質を接着固定させる。
【００２８】
使用状態で折り曲げを行った際の形状は第一実施例の図３と同様の形状となるため特に図示しない。
【００２９】
この様に配線パターンを保護している保護層であるカバーレイと第２配線パターンをＦＰＣ外形端に対し９０°以外の傾斜形状で削除することで曲げる際のガイドとする事が出来る。またカバーレイと第２配線パターンが削除されている為にＦＰＣが柔らかく曲げ易くなり作業性の向上につながると共に、曲げ部の膨らみが少なくなることで曲げによる厚みを薄くする効果もある。その結果作業性や配線パターンの保護を行った上でＦＰＣの展開形状状態で材料効率がよくコスト削減が可能になる。
【００３０】
また、この２層以上の複数層からなるＦＰＣ構成で両側にあるカバーレイと配線パターンの削除面は図６のＡ図表側でも可能であり、どちらでも構成することが可能である。又第２実施例の様に削除するカバーレイと配線パターンの削除した範囲の形状は傾斜形状に略並行にすることも可能である。
【００３１】
（実施例４）
本発明の第４の実施例を図８、９を用いて説明する。
【００３２】
図８はＦＰＣ単体での展開形状で２層以上の複数層からなるＦＰＣの構成であり、Ａ図は端子面側展開形状図、Ｂ図は裏側展開形状図である。１７１はＦＰＣ部品本体、１７２は第２配線パターンを保護する保護層であるカバーレイを削除した範囲、１７３ａ及び１７３ｂはＦＰＣ端子部で結線を行う為に基板等に配置したコネクターと接続する為の接続箇所である。１７４は１７３ａ及び１７３ｂとつながっている第１配線パターン、１７５ａ及び１７５ｂは保護層であるカバーレイに覆われた第２配線パターンで１７５ｃは１７２カバーレイ削除範囲で露出している第２配線パターンである。１７６は削除したカバーレイのＦＰＣ外形端に対し傾斜した端面、１７７はカバーレイを削除したＦＰＣ外形端に対し垂直の端面であり１７６の様に傾斜した端面でも良く、１７８はＦＰＣの長手方向の外形端面である。
【００３３】
尚、１７３ａ及び１７３ｂの端子部及び１７５ｃのカバーレイ削除範囲内の配線パターンはカバーレイが削除されており、一般的に使用するパターンの材質である銅素材の場合では腐食防止の為にメッキ処理又は防錆処理を施す。
【００３４】
図９は図８断面Ｃ−Ｃ箇所の拡大詳細図であり、１８１ａ及び１８１ｂは第２配線パターンを保護する保護層であるカバーレイである。１８２ａ及び１８２ｂは接着剤、１８３は第２配線パターン、１８４は接着剤、１８５はベース材、１８６は接着剤、１８７は第１配線パターン、１８８は接着剤、１８９は第１配線パターンを保護する保護層であるカバーレイである。１８２ａ、１８２ｂ、１８４、１８６、１８８の各接着剤は１８１ａ及び１８１ｂのカバーレイと１８３の第２配線パターンと１８５ベース材と１８７第１配線パターンと１８９カバーレイの各材質を接着固定させる。
【００３５】
使用状態で折り曲げを行った際の形状は第一実施例の図３と同様の形状となるため特に図示しない。
【００３６】
この様に配線パターンを保護している保護層であるカバーレイをＦＰＣ外形端に対し９０°以外の傾斜形状で削除することで曲げる際のガイドとする事が出来、同様にカバーレイが削除されている為にＦＰＣが柔らかく曲げ易く作業性の向上につながる。又、折り曲げた際のＦＰＣが互いに重なる箇所では、１７２のカバーレイ削除範囲で露出した１７５ｃの配線パターンが折り曲げの内側面となり重なり合い絶縁保護される。その際１７７垂直形状のカバーレイ削除端面部の折り曲げ状態での端面部完全絶縁を行う為には前記垂直端面を傾斜端面側に折り曲げのガイドとして機能する範囲で拡大することで１７１の展開形状位置から出ることは無く、完全に絶縁保護する事が出来る。
【００３７】
その結果作業性や配線パターンの保護を行った上でＦＰＣの展開形状状態で材料効率がよくコスト削減が可能になる。
【００３８】
また、この２層以上の複数層からなるＦＰＣ構成でカバーレイと配線パターンの削除面は図８Ａ図の表側でも可能であり、どちらでも構成することが可能である。又、第２実施例の様に削除するカバーレイの削除した範囲の形状は傾斜形状に略並行にすることも可能である。
【図面の簡単な説明】
【００３９】
【図１】本発明の第一実施例の展開形状図
【図２】本発明の第一実施例の断面詳細図
【図３】本発明の第一実施例の使用状態図
【図４】本発明の第一実施例と従来形状の材取り効率解説図
【図５】本発明の第二実施例の展開形状図
【図６】本発明の第三実施例の展開形状図
【図７】本発明の第三実施例の断面詳細図
【図８】本発明の第四実施例の展開形状図
【図９】本発明の第四実施例の断面詳細図
【図１０】従来のＦＰＣ展開形状図
【符号の説明】
【００４０】
１０１  ＦＰＣ部品本体
１０２  カバーレイ削除範囲
１０３ａ、１０３ｂ  端子部
１０４  カバーレイ削除範囲内の配線パターン
１０５  カバーレイに覆われた配線パターン
１０６  傾斜したカバーレイ削除端面
１０７  垂直のカバーレイ削除端面
１０８  ＦＰＣ長手方向の外形端面
１１１ａ、１１１ｂ  カバーレイ
１１２ａ、１１２ｂ  接着剤
１１３  接着剤
１１４  ベース材
１２１  ＦＰＣ展開形状位置
１２２  ＦＰＣ曲げ形状
１２３  折り曲げ後のＦＰＣ形状
１２４  ＦＰＣ重なり箇所
１３１  第一実施例の展開形状
１３２  折り曲げた形状と同形状の折り曲げ無し展開ＦＰＣ形状
１４１  ＦＰＣ部品本体
１４２  カバーレイ削除範囲
１４３ａ、１４３ｂ  端子部
１４４  カバーレイ削除範囲内の配線パターン
１４５  カバーレイに覆われた配線パターン
１４６  傾斜したカバーレイ削除端面
１４７  傾斜端面の略並行カバーレイ削除端面
１４８  ＦＰＣ長手方向の外形端面
１５１  ＦＰＣ部品本体
１５２  カバーレイ及び第２配線パターン削除範囲
１５３ａ、１５３ｂ  端子部
１５４  第１配線パターン
１５５ａ、１５５ｂ  第２配線パターン
１５６  傾斜したカバーレイ削除端面
１５７  垂直のカバーレイ削除端面
１５８  ＦＰＣ長手方向の外形端面
１６１ａ、１６１ｂ  カバーレイ
１６２ａ、１６２ｂ  接着剤
１６３ａ、１６３ｂ  第２配線パターン
１６４ａ、１６４ｂ  接着剤
１６５  ベース材
１６６  接着剤
１６７  第１配線パターン
１６８  接着剤
１６９  カバーレイ
１７１  ＦＰＣ部品本体
１７２  第２配線パターンのカバーレイ削除範囲
１７３ａ、１７３ｂ  端子部
１７４  第１配線パターン
１７５ａ、１７５ｂ  第２配線パターン
１７５ｃ  露出第２配線パターン
１７６  傾斜したカバーレイ削除端面
１７７  垂直のカバーレイ削除端面
１７８  ＦＰＣ長手方向の外形端面
１８１ａ、１８１ｂ  カバーレイ
１８２ａ、１８２ｂ  接着剤
１８３  第２配線パターン
１８４  接着剤
１８５  ベース材
１８６  接着剤
１８７  第１配線パターン
１８８  接着剤
１８９  カバーレイ
【図１】
2010129685.tif 000003
【図２】
2010129685.tif 000004
【図３】
2010129685.tif 000005
【図４】
2010129685.tif 000006
【図５】
2010129685.tif 000007
【図６】
2010129685.tif 000008
【図７】
2010129685.tif 000009
【図８】
2010129685.tif 000010
【図９】
2010129685.tif 000011
【図１０】
2010129685.tif 000012